(57)【要約】  熱交換換気装置（１）は、給気風路（６）と、排気風路（７）と、排気風路（７）上の第１の分岐（６１）及び第２の分岐（６２）で排気風路（７）に接続された普通換気風路（１１）と、給気風路（６）上の第３の分岐（６３）と排気風路（７）上の第４の分岐（６４）とに接続された塵埃除去用風路（６５）とを備えた箱体（６０）と、熱交換器（１０）と、第１の分岐（６１）及び排気風路（７）の一方を覆うように配置位置が変更される排気ダンパー（１３２）及び排気フィルター（１３１）を備えた排気側風路切換ダンパー（１３）と、第３の分岐（６３）及び給気風路（６）の一方を覆うように配置位置が変更される給気ダンパー（１２２）及び給気フィルター（１２１）を備えた給気側風路切換ダンパー（１２）と、第１の分岐（６１）よりも熱交換器（１０）側の排気風路（７）を開閉する排気風路ダンパー（１４）とを有する。
2020255368.tif 000002
【特許請求の範囲】
【請求項１】
外気吸込口と給気吐出口とを繋ぐ給気風路と、還気吸込口と排気吐出口とを繋ぐ排気風路と、前記排気風路上の第１の分岐及び前記第１の分岐よりも前記排気吐出口側の第２の分岐で前記排気風路に接続されたバイパス風路である普通換気風路と、前記給気風路上の第３の分岐と前記排気風路上の第４の分岐とに接続された塵埃除去用風路とを備えた本体と、
前記排気風路のうち前記第１の分岐と前記第２の分岐との間の部分及び前記給気風路のうち前記第３の分岐よりも前記給気吐出口側の部分に跨がって設置された熱交換器と、
前記給気風路のうち、前記熱交換器よりも前記給気吐出口側の部分に設置された給気送風機と、
前記排気風路のうち、前記熱交換器よりも前記排気吐出口側の部分に設置された排気送風機と、
前記第１の分岐及び前記排気風路の一方を覆うように配置位置が変更される排気ダンパー及び排気フィルターを備え、前記排気ダンパーが前記第１の分岐を覆い前記排気フィルターが前記排気風路を覆う状態と、前記排気フィルターが前記第１の分岐を覆い前記排気フィルターに覆われた前記第１の分岐よりも前記排気吐出口側で前記排気ダンパーが前記排気風路を覆う状態とに切り換え可能な排気側風路切換ダンパーと、
前記第３の分岐及び前記給気風路の一方を覆うように配置位置が変更される給気ダンパー及び給気フィルターを備え、前記給気ダンパーが前記第３の分岐を覆い前記給気フィルターが前記給気風路を覆う状態と、前記給気フィルターが前記第３の分岐を覆い前記給気フィルターに覆われた前記第３の分岐よりも前記給気吐出口側で前記給気ダンパーが前記給気風路を覆う状態とに切り換え可能な給気側風路切換ダンパーと、
前記第１の分岐よりも前記熱交換器側の前記排気風路を開閉する排気風路ダンパーと、
前記排気側風路切換ダンパー、前記給気側風路切換ダンパー及び前記排気風路ダンパーを制御する制御部とを有することを特徴とする熱交換換気装置。
【請求項２】
前記制御部は、
熱交換換気運転時には、前記排気ダンパーで前記第１の分岐を覆い、集塵面を上流側に向けた前記排気フィルターで前記排気風路を覆い、前記給気ダンパーで前記第３の分岐を覆い、集塵面を上流側に向けた前記給気フィルターで前記給気風路を覆い、前記排気風路ダンパーに前記排気風路を開放させ、
前記排気フィルターの塵埃除去運転時には、前記排気ダンパーで前記排気風路を覆い、集塵面を下流側に向けた前記排気フィルターで前記第１の分岐を覆い、前記排気風路ダンパーに前記排気風路を閉塞させ、
前記給気フィルターの塵埃除去運転時には、集塵面を下流側に向けた前記給気フィルターで前記第３の分岐を覆い、前記給気ダンパーで前記給気風路を覆うことを特徴とする請求項１に記載の熱交換換気装置。
【請求項３】
前記制御部は、
普通換気運転時には、前記排気ダンパーで前記排気風路を覆い、前記排気フィルターで前記第１の分岐を覆い、前記給気ダンパーで前記第３の分岐を覆い、前記排気風路ダンパーに前記排気風路を閉塞させることを特徴とする請求項２に記載の熱交換換気装置。
【請求項４】
前記給気側風路切換ダンパーは、前記給気ダンパー及び前記給気フィルターが設置された第１の軸が、前記給気ダンパー及び前記給気フィルターとともに回転して、前記給気ダンパー及び前記給気フィルターの配置位置を変える構造であり、
前記排気側風路切換ダンパーは、前記排気ダンパー及び前記排気フィルターが設置された第２の軸が、前記排気ダンパー及び前記排気フィルターとともに回転して、前記排気ダンパー及び前記排気フィルターの配置位置を変える構造であることを特徴とする請求項１から３のいずれか１項に記載の熱交換換気装置。
【請求項５】
前記制御部は、前記給気フィルター及び前記排気フィルターの少なくとも一方の前記塵埃除去運転を開始する条件を記憶する条件記憶部を有することを特徴とする請求項２から４のいずれか１項に記載の熱交換換気装置。
【発明の詳細な説明】
【技術分野】
【０００１】
本発明は、給気流と排気流との間で熱交換しながら換気を行う熱交換換気装置に関する。
【背景技術】
【０００２】
給気風路を通る給気流と排気風路を通る排気流との間で熱交換を行わせる熱交換器と、給気風路及び排気風路の各々の熱交換器の上流側において、通過する気流の塵埃を除去するフィルターとを備えた熱交換換気装置が知られている。特許文献１には、熱交換器をバイパスする普通換気風路と、排気風路と普通換気風路とを切り換えるダンパーとを備えた熱交換換気装置が開示されている。
【先行技術文献】
【特許文献】
【０００３】
【特許文献１】特開２０１７−５８０４２号公報
【発明の概要】
【発明が解決しようとする課題】
【０００４】
特許文献１に開示される熱交換換気装置は、フィルターを本体外に取り出す作業には手間と時間とが掛かるため、その多くはフィルターについた塵埃の除去がなされないまま使用されており、塵埃によって圧力損失が増加し換気風量が低下した状態で使用される。【０００５】
本発明は、上記に鑑みてなされたものであって、給気風路及び排気風路を通過する気流の塵埃を除去するフィルターに付いた塵埃を容易に除去できる熱交換換気装置を得ることを目的とする。
【課題を解決するための手段】
【０００６】
上述した課題を解決し、目的を達成するために、本発明は、外気吸込口と給気吐出口とを繋ぐ給気風路と、還気吸込口と排気吐出口とを繋ぐ排気風路と、排気風路上の第１の分岐及び第１の分岐よりも排気吐出口側の第２の分岐で排気風路に接続されたバイパス風路である普通換気風路と、給気風路上の第３の分岐と排気風路上の第４の分岐とに接続された塵埃除去用風路とを備えた本体を有する。本発明は、排気風路のうち第１の分岐と第２の分岐との間の部分及び給気風路のうち第３の分岐よりも給気吐出口側の部分に跨がって設置された熱交換器と、給気風路のうち、熱交換器よりも給気吐出口側の部分に設置された給気送風機と、排気風路のうち、熱交換器よりも排気吐出口側の部分に設置された排気送風機とを有する。本発明は、第１の分岐及び排気風路の一方を覆うように配置位置が変更される排気ダンパー及び排気フィルターを備え、排気ダンパーが第１の分岐を覆い排気フィルターが排気風路を覆う状態と、排気フィルターが第１の分岐を覆い排気フィルターに覆われた第１の分岐よりも排気吐出口側で排気ダンパーが排気風路を覆う状態とに切り換え可能な排気側風路切換ダンパーを有する。本発明は、第３の分岐及び給気風路の一方を覆うように配置位置が変更される給気ダンパー及び給気フィルターを備え、給気ダンパーが第３の分岐を覆い給気フィルターが給気風路を覆う状態と、給気フィルターが第３の分岐を覆い給気フィルターに覆われた第３の分岐よりも給気吐出口側で給気ダンパーが給気風路を覆う状態とに切り換え可能な給気側風路切換ダンパーを有する。本発明は、第１の分岐よりも熱交換器側の排気風路を開閉する排気風路ダンパーと、排気側風路切換ダンパー、給気側風路切換ダンパー及び排気風路ダンパーを制御する制御部とを有する。
【発明の効果】
【０００７】
本発明に係る熱交換換気装置は、給気風路及び排気風路を通過する気流の塵埃を除去するフィルターに付いた塵埃を容易に除去できるという効果を奏する。
【図面の簡単な説明】
【０００８】
【図１】本発明の実施の形態１に係る熱交換換気装置の概略構成を示す模式図
【図２】実施の形態１に係る熱交換換気装置の熱交換換気時の空気の流れを示す図
【図３】実施の形態１に係る熱交換換気装置の熱交換換気時の風路構成及び空気の流れを示す図
【図４】実施の形態１に係る熱交換換気装置の普通換気時の風路構成及び空気の流れを示す図
【図５】実施の形態１に係る熱交換換気装置の塵埃除去時の風路構成及び空気の流れを示す図
【図６】実施の形態１に係る熱交換換気装置の制御部の機能をハードウェアで実現した構成を示す図
【図７】実施の形態１に係る熱交換換気装置の制御部の機能をソフトウェアで実現した構成を示す図
【発明を実施するための形態】
【０００９】
以下に、本発明の実施の形態に係る熱交換換気装置を図面に基づいて詳細に説明する。なお、この実施の形態によりこの発明が限定されるものではない。
【００１０】
実施の形態１．
図１は、本発明の実施の形態１に係る熱交換換気装置の概略構成を示す模式図である。熱交換換気装置１は、外気吸込口４と給気吐出口２とを繋ぐ給気風路６と、還気吸込口３と排気吐出口５とを繋ぐ排気風路７と、排気風路７上の第１の分岐６１及び第１の分岐６１よりも排気吐出口５側の第２の分岐６２とで排気風路７に接続されたバイパス風路である普通換気風路１１と、給気風路６上の第３の分岐６３と排気風路７上の第４の分岐６４とに接続された塵埃除去用風路６５とを備えた箱体６０を有している。なお、実施の形態１においては、給気風路６と排気風路７とが隣接する部分に塵埃除去用風路６５を設けているため、第３の分岐６３、第４の分岐６４及び塵埃除去用風路６５が共通となっている。給気吐出口２及び還気吸込口３は、天井裏から室内に通じるダクトに接続される。外気吸込口４及び排気吐出口５は、天井裏から室外に通じるダクトに接続される。普通換気風路１１は、還気吸込口３から取り入れた室内の空気を、熱交換器１０を通過させずに排気吐出口５から室外に排出する。
【００１１】
熱交換換気装置１の内部には、熱交換器１０が設置されている。熱交換器１０は、給気風路６を通過する室外から取り入れられた空気と排気風路７を通過する室内から取り入れられた空気との間で熱を交換させる。熱交換器１０は、排気風路７のうち第１の分岐６１と第２の分岐６２との間の部分及び給気風路６のうち第３の分岐６３よりも給気吐出口２側の部分に跨がって設置されている。
【００１２】
給気風路６のうち、熱交換器１０よりも給気吐出口２側の部分には、外気吸込口４から取り入れた室外の空気を給気吐出口２から室内に供給する給気送風機８が設置されている。排気風路７のうち、熱交換器１０よりも排気吐出口５側の部分には、還気吸込口３から取り入れた室内の空気を排気吐出口５から室外に排出する排気送風機９が設置されている。
【００１３】
熱交換換気装置１は、第３の分岐６３及び給気風路６の一方を覆うように配置位置が変更される給気ダンパー１２２及び給気フィルター１２１を備えた給気側風路切換ダンパー１２を有する。給気ダンパー１２２は、第３の分岐６３を覆うように配置されると、給気風路６と塵埃除去用風路６５とを仕切る。また、給気ダンパー１２２は、給気風路６を覆うように配置されると塵埃除去用風路６５を開放する。したがって、給気ダンパー１２２は、熱交換器１０よりも下流の給気風路６及び熱交換器１０よりも下流の排気風路７のうちのどちらに熱交換器１０よりも上流の給気風路６を接続するかを切り換える。給気フィルター１２１は、給気風路６を覆うように配置されると、給気風路６内の気流に含まれる塵埃を集塵面１２１ａに捕捉する。
【００１４】
給気側風路切換ダンパー１２は、塵埃を捕捉するための給気フィルター１２１と、風路を切り換えるための給気ダンパー１２２とが第１の軸１２３に設置されている。給気側風路切換ダンパー１２は、給気ダンパー１２２及び給気フィルター１２１が設置された第１の軸１２３が、給気ダンパー１２２及び給気フィルター１２１とともに回転して、給気ダンパー１２２及び給気フィルター１２１の配置位置を変える構造である。
【００１５】
熱交換換気装置１は、第１の分岐６１及び排気風路７の一方を覆うように配置位置が変更される排気ダンパー１３２及び排気フィルター１３１を備えた排気側風路切換ダンパー１３を有する。排気ダンパー１３２は、第１の分岐６１を覆うように配置されると排気風路７と普通換気風路１１とを仕切る。また、排気ダンパー１３２は、排気風路７を覆うように配置されると、普通換気風路１１を開放する。したがって、排気ダンパー１３２は、熱交換器１０よりも下流の排気風路７及び普通換気風路１１のうちのどちらに熱交換器１０よりも上流の排気風路７を接続するかを切り換える。排気フィルター１３１は、排気風路７を覆うように配置されると排気風路７内の気流に含まれる塵埃を集塵面１３１ａに捕捉する。また、排気フィルター１３１は、第１の分岐６１を覆うように配置されると、普通換気風路１１へ流入する気流に含まれる塵埃を集塵面１３１ａに捕捉する。
【００１６】
排気側風路切換ダンパー１３は、塵埃を捕捉するための排気フィルター１３１と、風路を切り換えるための排気ダンパー１３２とが第２の軸１３３に設置されている。排気側風路切換ダンパー１３は、排気ダンパー１３２及び排気フィルター１３１が設置された第２の軸１３３が、排気ダンパー１３２及び排気フィルター１３１とともに回転して、排気ダンパー１３２及び排気フィルター１３１の配置位置を変える構造である。
【００１７】
なお、給気側風路切換ダンパー１２は、給気ダンパー１２２と給気フィルター１２１とを別々にして、それぞれ運用する構成としてもよい。また、排気側風路切換ダンパー１３は、排気ダンパー１３２と排気フィルター１３１とを別々にして、それぞれ運用する構成としてもよい。
【００１８】
熱交換換気装置１は、第１の分岐６１よりも熱交換器１０側の排気風路７を開閉する排気風路ダンパー１４を有する。
【００１９】
熱交換換気装置１は、制御部１５を有する。制御部１５は、給気送風機８と排気送風機９と給気側風路切換ダンパー１２と排気側風路切換ダンパー１３と排気風路ダンパー１４とを制御する。
【００２０】
熱交換換気装置１は、給気側風路切換ダンパー１２、排気側風路切換ダンパー１３、及び排気風路ダンパー１４のそれぞれを駆動するための不図示の駆動装置を有する。制御部１５は、給気側風路切換ダンパー１２、排気側風路切換ダンパー１３、及び排気風路ダンパー１４のそれぞれの位置を制御することによって風路の切り換えを実現する。
【００２１】
図２は、実施の形態１に係る熱交換換気装置の熱交換換気時の空気の流れを示す図である。図３は、実施の形態１に係る熱交換換気装置の熱交換換気時の風路構成及び空気の流れを示す図である。
【００２２】
熱交換換気運転時には、制御部１５は、給気側風路切換ダンパー１２を制御し、給気風路６と排気風路７とを給気ダンパー１２２によって仕切り、外気吸込口４から取り入れられて給気フィルター１２１を通過した空気を熱交換器１０に通す。給気フィルター１２１は、集塵面１２１ａを上流側に向けて給気風路６を覆う。
【００２３】
また、制御部１５は、排気側風路切換ダンパー１３を制御し、排気風路７と普通換気風路１１を排気ダンパー１３２によって仕切り、還気吸込口３から取り入れられて排気フィルター１３１を通過した空気を熱交換器１０に通す。排気フィルター１３１は、集塵面１３１ａを上流側に向けて排気風路７を覆う。
【００２４】
また、制御部１５は、排気風路ダンパー１４を制御し、排気風路７内の熱交換器１０よりも上流において、圧力損失とならないよう、熱交換器１０に通じる開口を開けた状態とする。
【００２５】
この状態で、制御部１５が給気送風機８及び排気送風機９を駆動させると、外気吸込口４から取り入れられた空気と還気吸込口３から取り入れられた空気とが熱交換器１０を通過して熱交換される。熱交換後の空気は、給気吐出口２から室内に排気吐出口５から室外にそれぞれ吐き出され、室内の空気と室外の空気を熱交換しながら換気することができる。
【００２６】
実施の形態１に係る熱交換換気装置１は、ユーザによって熱交換しない換気の設定とされた場合に普通換気運転を実施する。図４は、実施の形態１に係る熱交換換気装置の普通換気時の風路構成及び空気の流れを示す図である。実施の形態１に係る熱交換換気装置１は、室外の空気の温度よりも室内の空気の温度の方が高い場合には、室内の空気と室外の空気を熱交換させずに換気をすることで、室内の空気を冷房することができる。したがって、熱交換換気装置１とは別に空気調和機を稼働させなくても室内の温度を下げることができる。
【００２７】
普通換気運転時には、制御部１５は、給気側風路切換ダンパー１２を熱交換換気運転時と同様の状態とする。
【００２８】
また、制御部１５は、排気側風路切換ダンパー１３を制御し、還気吸込口３から取り入れられた空気が排気フィルター１３１を通過するように排気側風路切換ダンパー１３を制御する。なお、排気フィルター１３１は、集塵面１３１ａを上流側に向けて排気風路７を覆う。
【００２９】
また、制御部１５は、排気風路ダンパー１４を制御し、排気風路７内の熱交換器１０よりも上流において排気風路７を閉塞させる。
【００３０】
この状態で、給気送風機８及び排気送風機９を駆動させると、外気吸込口４から取り入れられた空気は熱交換器１０を通過し、給気吐出口２から吐き出される。一方で還気吸込口３から取り入れられた空気は熱交換器１０を通過せずに排気吐出口５から吐き出される。したがって、室内の空気と室外の空気とを熱交換することなく換気することができる。
【００３１】
図５は、実施の形態１に係る熱交換換気装置の塵埃除去時の風路構成及び空気の流れを示す図である。熱交換換気装置１を長時間にわたり運転していると、給気風路６内の給気フィルター１２１及び排気風路７内の排気フィルター１３１には塵埃が付着し、圧力損失が増加することで、熱交換換気装置１の効率が低下する。このため、給気フィルター１２１及び排気フィルター１３１に付着した塵埃をユーザが定期的に除去することが望ましい。しかし、熱交換換気装置１は、天井裏に設置されるのが一般的であり、メンテナンスフリー化が望まれている。
【００３２】
このため、実施の形態１に係る熱交換換気装置１は、給気フィルター１２１及び排気フィルター１３１の塵埃除去運転を実施可能となっている。
【００３３】
給気フィルター１２１の塵埃除去運転時には、制御部１５は、給気側風路切換ダンパー１２を制御し、集塵面１２１ａを下流側に向けて第４の分岐６４に給気フィルター１２１を配置するとともに、給気風路６を塞ぐように給気ダンパー１２２を配置する。これにより、外気吸込口４から取り入れられた空気は、熱交換器１０へ流れることはなく、給気フィルター１２１を通過して排気風路７へ流れる。
【００３４】
また、排気フィルター１３１の塵埃除去運転時には、制御部１５は、排気側風路切換ダンパー１３を制御し、集塵面１３１ａを下流側に向けて第１の分岐６１に排気フィルター１３１を配置するとともに、排気風路７を塞ぐように排気ダンパー１３２を配置する。また、制御部１５は、排気風路７を塞ぐように排気風路ダンパー１４を配置する。
【００３５】
この状態で、制御部１５が排気送風機９を最大出力風量にて駆動させると、外気吸込口４から取り入れられた空気と還気吸込口３から取り入れられた空気とが熱交換器１０を通過せずに排気吐出口５から吐き出される。給気フィルター１２１の集塵面１２１ａ及び排気フィルター１３１の集塵面１３１ａは、排気吐出口５側に面しているため、給気フィルター１２１及び排気フィルター１３１を通過する空気によって塵埃が吹き飛ばされる。吹き飛ばされた塵埃は、排気吐出口５から熱交換換気装置１の外へ排出される。このように、実施の形態１に係る熱交換換気装置１は、熱交換換気運転時及び普通換気運転時に付着した塵埃を、室外に排出することができる。
【００３６】
制御部１５は、リモートコントローラを用いたユーザ操作があった場合に塵埃除去運転を開始する。また、制御部１５は、条件記憶部１５１に記憶されている条件が成立したときに、塵埃除去運転を開始する。条件記憶部１５１に記憶させる条件は、累計使用時間が予め設定した時間に達した場合を例示できる。また、条件記憶部１５１に記憶させる条件は、給気送風機８又は排気送風機９のモータ回転数が予め設定した値を超えた場合を例示できる。
【００３７】
上記に加えて、熱交換換気装置１の電源をオンオフするごとに自動的に塵埃除去運転を実施するなどの条件を条件記憶部１５１に記憶させておくことにより、制御部１５は、塵埃除去運転をより高頻度に実行することも可能である。
【００３８】
なお、給気フィルター１２１の塵埃除去運転と、排気フィルター１３１の塵埃除去運転とを別々に行うことも可能である。
【００３９】
上記の実施の形態１に係る熱交換換気装置１の制御部１５の機能は、処理回路により実現される。処理回路は、専用のハードウェアであっても、記憶装置に格納されるプログラムを実行する処理装置であってもよい。
【００４０】
処理回路が専用のハードウェアである場合、処理回路は、単一回路、複合回路、プログラム化したプロセッサ、並列プログラム化したプロセッサ、特定用途向け集積回路、フィールドプログラマブルゲートアレイ、又はこれらを組み合わせたものが該当する。図６は、実施の形態１に係る熱交換換気装置の制御部の機能をハードウェアで実現した構成を示す図である。処理回路２９には、制御部１５の機能を実現する論理回路２９ａが組み込まれている。
【００４１】
処理回路２９が処理装置の場合、制御部１５の機能は、ソフトウェア、ファームウェア、又はソフトウェアとファームウェアとの組み合わせにより実現される。
【００４２】
図７は、実施の形態１に係る熱交換換気装置の制御部の機能をソフトウェアで実現した構成を示す図である。処理回路２９は、プログラム２９ｂを実行するプロセッサ２９１と、プロセッサ２９１がワークエリアに用いるランダムアクセスメモリ２９２と、プログラム２９ｂを記憶する記憶装置２９３を有する。記憶装置２９３に記憶されているプログラム２９ｂをプロセッサ２９１がランダムアクセスメモリ２９２上に展開し、実行することにより、制御部１５の機能が実現される。ソフトウェア又はファームウェアはプログラム言語で記述され、記憶装置２９３に格納される。プロセッサ２９１は、中央処理装置を例示できるがこれに限定はされない。記憶装置２９３は、ＲＡＭ（Random  Access  Memory）、ＲＯＭ（Read  Only  Memory）、フラッシュメモリ、ＥＰＲＯＭ（Erasable  Programmable  Read  Only  Memory）、又はＥＥＰＲＯＭ（登録商標）（Electrically  Erasable  Programmable  Read  Only  Memory）といった半導体メモリを適用できる。半導体メモリは、不揮発性メモリでもよいし揮発性メモリでもよい。また記憶装置２９３は、半導体メモリ以外にも、磁気ディスク、フレキシブルディスク、光ディスク、コンパクトディスク、ミニディスク又はＤＶＤ（Digital  Versatile  Disc）を適用できる。なお、プロセッサ２９１は、演算結果といったデータを記憶装置２９３に出力して記憶させてもよいし、ランダムアクセスメモリ２９２を介して不図示の補助記憶装置に当該データを記憶させてもよい。プロセッサ２９１、ランダムアクセスメモリ２９２及び記憶装置２９３を１チップに集積することにより、制御部１５の機能をマイクロコンピュータにより実現することができる。
【００４３】
処理回路２９は、記憶装置２９３に記憶されたプログラム２９ｂを読み出して実行することにより、制御部１５の機能を実現する。プログラム２９ｂは、制御部１５の機能を実現する手順及び方法をコンピュータに実行させるものであるとも言える。
【００４４】
なお、処理回路２９は、制御部１５の機能の一部を専用のハードウェアで実現し、制御部１５の機能の一部をソフトウェア又はファームウェアで実現するようにしてもよい。
【００４５】
このように、処理回路２９は、ハードウェア、ソフトウェア、ファームウェア、又はこれらの組み合わせによって、上述の各機能を実現することができる。
【００４６】
以上の実施の形態に示した構成は、本発明の内容の一例を示すものであり、別の公知の技術と組み合わせることも可能であるし、本発明の要旨を逸脱しない範囲で、構成の一部を省略、変更することも可能である。
【符号の説明】
【００４７】
１  熱交換換気装置、２  給気吐出口、３  還気吸込口、４  外気吸込口、５  排気吐出口、６  給気風路、７  排気風路、８  給気送風機、９  排気送風機、１０  熱交換器、１１  普通換気風路、１２  給気側風路切換ダンパー、１３  排気側風路切換ダンパー、１４  排気風路ダンパー、１５  制御部、２９  処理回路、２９ａ  論理回路、２９ｂ  プログラム、６０  箱体、６１  第１の分岐、６２  第２の分岐、６３  第３の分岐、６４  第４の分岐、６５  塵埃除去用風路、１２１  給気フィルター、１２１ａ，１３１ａ  集塵面、１２２  給気ダンパー、１２３  第１の軸、１３１  排気フィルター、１３２  排気ダンパー、１３３  第２の軸、１５１  条件記憶部、２９１  プロセッサ、２９２  ランダムアクセスメモリ、２９３  記憶装置。
【図１】
2020255368.tif 000003
【図２】
2020255368.tif 000004
【図３】
2020255368.tif 000005
【図４】
2020255368.tif 000006
【図５】
2020255368.tif 000007
【図６】
2020255368.tif 000008
【図７】
2020255368.tif 000009
【国際調査報告】
2020255368.tif 000010
2020255368.tif 000011
2020255368.tif 000012
2020255368.tif 000013